(57)【要約】【課題】  包装の完了後であっても、問題のあった特定の感光材料を収納した外箱もしくは中箱のみの抽出を容易に可能とし、これにより市場への流出を防止すると共に損失を最少に抑えることのできる感光材料包装体を得る。【解決手段】  包装袋と中箱と外箱に、感光材料のロット単位より細かい生産履歴の情報を表記した感光材料包装体とする。【選択図】        図８
2005173079.tif 000002
【特許請求の範囲】
【請求項１】
感光材料を収納した遮光性の包装袋と、該包装袋を収納する中箱と、該中箱を複数個収納する外箱と、を有する感光材料包装体において、
前記包装袋と前記中箱と前記外箱に、前記感光材料のロット単位より細かい生産履歴の情報を表記したことを特徴とする感光材料包装体。
【請求項２】
前記情報は、前記感光材料のロール内での位置に関する情報であることを特徴とする請求項１に記載の感光材料包装体。
【請求項３】
前記情報は、機械的に読み取り可能な表示であることを特徴とする請求項１又は２に記載の感光材料包装体。
【請求項４】
前記情報は、人が認知可能な表示と機械的に読み取り可能な表示が併記されていることを特徴とする請求項１〜３のいずれか１項に記載の感光材料包装体。
【請求項５】
感光材料を収納した遮光性の包装袋上の表示情報を読み取る工程と、
前記包装袋を収納する中箱に、読み取った前記包装袋上の表示情報の少なくとも一部を印字する工程と、
前記中箱に印字された表示情報を読み取る工程と、
前記中箱を複数個収納する外箱に、読み取った前記中箱の表示情報の少なくとも一部を印字する工程と、を有する感光材料包装体の情報印字方法。
【請求項６】
前記包装袋上の表示情報を読み取る工程は、前記中箱に前記包装袋が収納される以前におこなわれ、
前記中箱に印字された表示情報を読み取る工程は、前記外箱への収納時又は前記中箱の積層時におこなわれることを特徴とする請求項５に記載の感光材料包装体の情報印字方法。
【請求項７】
前記印字は、前記中箱及び外箱に直接的に印字されることを特徴とする請求項５又は６に記載の感光材料包装体の情報印字方法。
【請求項８】
前記印字は、レーザーマーカーもしくはインクジェットプリンターによりおこなわれることを特徴とする請求項５〜７のいずれか１項に記載の感光材料包装体の情報印字方法。
【発明の詳細な説明】
【技術分野】
【０００１】
本発明は、感光材料の包装体に関し、詳しくは感光材料を収納する包装袋と、この包装体を収納する中箱と、この中箱を複数個収納する外箱に表示する情報及びその情報印字方法に関するものである。
【背景技術】
【０００２】
従来より、医用シートフィルム等の感光材料は、遮光性の包装袋に所定枚数収納され、この包装袋を中箱（サック或いはカートンとも称す）に収納し、更に、この中箱を外箱に複数個収納して出荷されるようになっている。これらの包装袋、中箱、外箱には、それぞれ製造会社名、品種名、包装種別、有効期限、枚数、製造番号（ロット番号や乳剤番号）が表示されており、開封せずともおおまかな生産履歴を知ることができる。
【０００３】
上記のような感光材料の包装体において、包装袋を収納する中箱の正面と側面の双方に製造会社名、品種名、包装種別、枚数、有効期限、製造番号（ロット番号）の情報を表示し、外箱から取り出すことなく中箱に表示された情報を読み取ることが可能なものが開示されている（例えば、特許文献１参照）。
【０００４】
また、複数の中箱を収納する段ボールの外箱の外面に、印字精度を向上させる目的で、熱溶融インクを用いて、マルチレベルバーコードを印字するものが開示されている（例えば、特許文献２参照）。
【特許文献１】特開２００１−２８１８０６号公報
【特許文献２】特開２００１−２９３８５７号公報
【発明の開示】
【発明が解決しようとする課題】
【０００５】
図１は、感光材料を裁断し、遮光性の包装袋に収納する以前の工程を模式的に示した図である。
【０００６】
同図（ａ）に示すように、まず長幅の感光材料を巻き回したロール５０から、所定幅に裁断し、所定幅に巻き回された複数のロール（スリットロール）５５とする。更に、同図（ｂ）に示すように、個々のスリットロール５５は、クロスカットされてシート状となり、このシート状の感光材料５６を所定枚数累積した後、遮光性の包装袋に収納される。更に、この包装袋を中箱に収納し、この中箱を外箱へ複数個収納して完成する。
【０００７】
このような工程を経る感光材料包装体の場合、上述の特許文献１及び２に記載されたような中箱及び外箱に表示した情報内容では、以下のような問題がある。
【０００８】
例えば、スリットロールからのシート状への裁断をおこない、以降の外箱までの工程を完了した後になって、一部のスリットロールのものに品質的な問題があることが判明した場合や、一部のスリットロール中の特定の部分にのみ品質的な問題があることが判明した場合には、従来からの表示内容であるロット番号や乳剤番号のみでは、既に完成した包装体から問題のある感光材料の入った包装袋が収納された中箱を抽出することは不可能である。この場合、大多数の問題のない感光材料を含んだ、このロット全てが不良となり、生産効率の低下を引き起こし、ひいてはコストアップとなる問題がある。
【０００９】
本発明は、上記問題に鑑み、包装の完了後であっても、問題のあった特定の感光材料を収納した外箱もしくは中箱のみの抽出を容易に可能とし、これにより市場への流出を防止すると共に損失を最少に抑えることのできる感光材料包装体を得ることを目的とするものであり、更には、このような感光材料包装体の情報印字方法を低コストで得ることを目的とするものである。
【課題を解決するための手段】
【００１０】
上記の課題は、以下の構成で解決される。
【００１１】
１）  感光材料を収納した遮光性の包装袋と、該包装袋を収納する中箱と、該中箱を複数個収納する外箱と、を有する感光材料包装体において、前記包装袋と前記中箱と前記外箱に、前記感光材料のロット単位より細かい生産履歴の情報を表記したことを特徴とする感光材料包装体。
【００１２】
２）  前記情報は、前記感光材料のロール内での位置に関する情報である１）の感光材料包装体。
【００１３】
３）  前記情報は、機械的に読み取り可能な表示である１）又は２）の感光材料包装体。
【００１４】
４）  前記情報は、人が認知可能な表示と機械的に読み取り可能な表示が併記されている１）〜３）のいずれかの感光材料包装体。
【００１５】
５）  感光材料を収納した遮光性の包装袋上の表示情報を読み取る工程と、前記包装袋を収納する中箱に、読み取った前記包装袋上の表示情報の少なくとも一部を印字する工程と、前記中箱に印字された表示情報を読み取る工程と、前記中箱を複数個収納する外箱に、読み取った前記中箱の表示情報の少なくとも一部を印字する工程と、を有する感光材料包装体の情報印字方法。
【００１６】
６）  前記包装袋上の表示情報を読み取る工程は、前記中箱に前記包装袋が収納される以前におこなわれ、前記中箱に印字された表示情報を読み取る工程は、前記外箱への収納時又は前記中箱の積層時におこなわれる５）の感光材料包装体の情報印字方法。
【００１７】
７）  前記印字は、前記中箱及び外箱に直接的に印字される５）又は６）の感光材料包装体の情報印字方法。
【００１８】
８）  前記印字は、レーザーマーカーもしくはインクジェットプリンターによりおこなわれる５）〜７）のいずれかの感光材料包装体の情報印字方法。
【発明の効果】
【００１９】
本発明の、感光材料を収納した遮光性の包装袋と、包装袋を収納する中箱と、中箱を複数個収納する外箱と、を有する感光材料包装体において、包装袋と中箱と外箱に、感光材料のロット単位より細かい生産履歴の情報を表示した感光材料包装体、とすることにより、包装の完了後であっても、ロットの一部であるところの、問題の判明した感光材料を収納した中箱の入った外箱もしくは中箱の抽出を容易に可能とすることができ、市場への流出を防止すると共に損失を最少に抑えることが可能となる。
【００２０】
上記の情報は、感光材料のロール内での位置に関する情報であることが望ましく、これにより、ロットの一部であるところの、問題の判明した部分の感光材料を収納した中箱の入った外箱もしくは中箱の特定が包装体外部より容易に判別できるようになる。
【００２１】
上記の情報は機械的に読み取り可能な表示であることが望ましく、これにより、外箱もしくは中箱に表示された情報を、迅速に読み取ることができ、問題の判明した感光材料を収納した中箱の入った外箱もしくは中箱を、もれなく確実に抽出できる。
【００２２】
上記の情報は、人が認知可能な表示と機械的に読み取り可能な表示が併記されていることが望ましく、これにより、読み取り装置が無い場合であっても、問題の判明した感光材料を収納した中箱の入った外箱もしくは中箱を抽出することができる。
【００２３】
また、本発明の、感光材料を収納した遮光性の包装袋上の表示情報を読み取る工程と、包装袋を収納する中箱に、読み取った包装袋上の表示情報の少なくとも一部を印字する工程と、中箱に印字された表示情報を読み取る工程と、中箱を複数個収納する外箱に、読み取った中箱の表示情報の少なくとも一部を印字する工程と、を有する感光材料包装体の情報印字方法、とすることにより、情報印字を自動化でき、上述の効果を奏する感光材料包装体を低コストで得ることができる。
【００２４】
上記の包装袋上の表示情報を読み取る工程は、中箱に包装袋が収納される以前におこなわれ、中箱に印字された表示情報を読み取る工程は、外箱への収納時又は中箱の積層時におこなわれることが望ましく、これにより外箱と中箱の表示の誤記を防止できる。
【００２５】
上記の印字は、中箱及び外箱に直接的に印字されること、また、上記の印字は、レーザーマーカーもしくはインクジェットプリンターによりおこなわれることが望ましく、シール材等を新たに用意して貼り付けるコストを削減できると共に工程中でリアルタイムで、自動印字できるようになる。
【発明を実施するための最良の形態】
【００２６】
以下、実施の形態により本発明を詳しく説明するが、本発明はこれに限定されるものではない。
【００２７】
図２は、感光材料を収納した遮光性の包装袋を、中箱に収納する工程の模式図である。図３は、感光材料を収納した遮光性の包装袋上に貼付されるラベルの情報表示例である。また、図４は、中箱に印字する情報表示の例である。
【００２８】
図２〜図４を用い、感光材料を収納した遮光性の包装袋を、中箱に収納する工程と中箱に印字する情報について説明する。
【００２９】
図２において、包装袋搬送用ベルト１１により、感光材料を収納した遮光性の包装袋１２が搬送される。一方、中箱搬送用ベルト１３により、展開された状態の中箱部材１４が、包装袋１２と同期して搬送される。
【００３０】
包装袋１２には、上面に図３に示すラベルが貼り付けられている。図３に示すように、このラベルには、品種（例えば、ＳＤ−Ｐ）、サイズ（例えば、１４＊１７）、枚数（例えば、１２５）、有効期限（例えば、０３／０４）等の情報表示の他に、使用される現像機用に必要なデータを記したバーコードＡと、ロット番号及び、ロット単位より細かい生産履歴の情報、例えば、収納された感光材料のロール内での位置に関するデータを記したバーコードＢと、が表示されている。
【００３１】
図２に戻り、搬送される包装袋１２は、中箱搬送用ベルト１３に移送される前にバーコードリーダー１５により、少なくともバーコードＢの情報が読み取られた後、図示のように中箱部材１４上に移送され載置される。読み取られた情報は、例えばパーソナルコンピュータ等で構成されるシーケンスコントローラ１６により、レーザーマーカー１７へ送られる。
【００３２】
レーザーマーカー１７は、展開された状態の中箱部材１４に、このシーケンスコントローラ１６より送られた情報を、この中箱部材１４に直接的に印字する。この情報印字位置は後述の外箱に収納したとき、外箱開封状態で見える面に印字することが望ましい。この後、展開状態の中箱部材１４を折りたたみ、箱状として包装袋１２を収納した中箱１８となる。なお、このレーザーマーカー１７で印字する位置には、予めインク等で矩形状にベタ印刷してあることが望ましく、この印刷は中箱への製造会社名等の印刷時に同時におこなわれていることが望ましく、こうすることでコストアップを防止できる。
【００３３】
この、中箱１８に印字する情報は、例えば図４に示すようなものである。この印字情報１９は、文字、数字等のキャラクタで表記した部分Ｃと、二次元コードで表記したＤで表示されており、同じ内容を、人が認知可能な表示と機械的に読み取り可能な表示を併記したものである。なお、図４ではキャラクタ及び二次元コードを反転して模式的に図示してある。
【００３４】
この表示は、ロット番号及び、ロット単位より細かい生産履歴の情報、例えば、収納された感光材料のロール内での位置に関するデータ、即ち、図１で説明したような、スリットロールの番号及びこのスリットロール内のどの位置にあったかの情報であり、例えば、スリットロールの巻きの外端から何メートル内側というような距離であってもよいし、スリットロールの巻きの外端からクロスカット何枚目、或いは包装袋何袋目というような情報でもよい。
【００３５】
図５は、包装袋１２を収納した中箱１８の外観を示す概略図である。上述のようにして形成された中箱１８は、この後、例えば特開２００１−２８１８０６号公報の図５に記載されたようなタックラベル２０が貼り付けられ、このタックラベル２０には、ＪＡＮコードとＨＩＢＣコードで、製造会社名、品種名、包装種別、有効期限、ロット番号等が表示されている。また本例では、レーザーマーカー１７で印字される印字情報１９は、中箱１８の上部の位置に印字されている。
【００３６】
次に、中箱を外箱に収納する工程と、外箱に印字する情報について説明する。
【００３７】
図６は、中箱を外箱に収納する工程の模式図である。同図は中箱４個が１セットで外箱に収納される場合を示している。
【００３８】
同図に示すように、中箱１８をスタッカに移送し、中箱１８はスタッカの最下層に、印字部１９が二次元コードリーダー２１の読み取り可能範囲内に、順次挿入される。これにより、二次元コードリーダー２１は、挿入される中箱１８に表示された印字情報１９のうち、二次元コードＤ（図４参照）を順次読み取ることができる。
【００３９】
この読み取られた情報は、例えばパーソナルコンピュータ等で構成されるシーケンスコントローラ２２により、レーザーマーカー２３へ送られる。レーザーマーカー２３は、このシーケンスコントローラ２３より送られた情報を外箱２４に直接的に印字する。この印字は読み取り順に順次印字してもよいし、例えば中箱４個が１セットであれば、４個読み取り完了後に一括して印字してもよい。
【００４０】
なお上述のように、このレーザーマーカー２３で印字する位置には、予めインク等で矩形状にベタ印刷してあることが望ましく、この印刷は外箱への製造会社名等の印刷時に同時におこなわれるていることが望ましい。
【００４１】
読み取りの完了した中箱１８は、印字の完了した外箱２４に、収納されて全ての包装が完了する。なお、上述の説明では、スタッカの最下層に中箱を挿入し、印字情報１９のうち、二次元コードＤ（図４参照）を順次読み取る構成としたが、外箱２４の最下層に順次中箱１８を挿入し、二次元コードＤを順次読み取り、この外箱に印字するよう構成してもよいのは勿論である。
【００４２】
なお、読み取った情報の印字をレーザーマーカーでおこなう例で説明したが、インクジェットプリンターを用いて印字してもよい。インクジェットプリンターを用いる場合は、上述のベタ印刷は不要である。このように、レーザーマーカーもしくはインクジェットプリンターにより中箱及び外箱に直接的に印字されることにより、シール材等を新たに用意して貼り付けるコストを削減できる。
【００４３】
図７は、外箱２４に印字する印字情報３１の例を示す図である。
【００４４】
同図に示すように、外箱２４に印字する印字情報３１は、外箱２４に収納される例えば４個の中箱１８に印字された情報を、まとめて転記したものである。即ち、４個分を文字、数字等のキャラクタで表記した部分Ｃと、二次元コードで４個分をまとめて表記したＤ部に表示され、図４で説明したのと同様に、同じ内容を人が認知可能な表示と機械的に読み取り可能な表示を併記したものである。
【００４５】
これにより、収納された全ての中箱１８内の感光材料の生産履歴情報が、この外箱２４の外面に印字情報３１として表示されることになる。
【００４６】
図８は、外箱２４の概略の外観と収納された中箱１８の状態を示す図である。
【００４７】
同図に示すように、フラップを開いた状態では、中箱１８に印字された中箱個々の印字情報１９が露出するように収納され、外箱２４の外面には、上述の印字情報３１が表示されている。なお、この印字情報３１は、隣り合う２つの面にそれぞれ印字してもよいし、４面に印字してもよい。
【００４８】
なお、外箱のフラップを開いた状態では、中箱個々の印字情報１９が露出するように収納されたもので説明したが、外箱の印字情報３１により確認できるため、フラップを開いた状態で、中箱個々の印字情報１９が見えない状態で収納されていてもよい。
【００４９】
図９は、図２及び図６で説明した感光材料包装体の工程の流れをまとめたフローチャートである。以下、同図に従い説明する。
【００５０】
感光材料を収納した遮光性の包装袋を搬送し（Ｓ１０１）、この搬送路上で、この包装袋上のラベル表示情報を読み取る（Ｓ１０２）。この後、展開された中箱部材に包装袋を載置すると共に、中箱部材へ、読み取った包装袋上のラベル表示情報の少なくとも一部を印字し、この中箱部材を折り曲げて中箱とする（Ｓ１０３）。
【００５１】
この中箱の所定の位置に、タックラベルを貼り付ける（Ｓ１０４）。次に、中箱を段積しつつ、順次中箱にＳ１０３で印字された情報を読み取る（Ｓ１０５）。この段積された中箱を外箱へ収納し（Ｓ１０６）、収納した中箱の情報を外箱へ印字する（Ｓ１０７）ことで、中箱及び外箱への収納及び情報印字がおこなわれる。この後、上述の中箱に貼り付けたタックラベル２０と同様の内容を、外箱の側面及び端面（図８の３２参照）にインクジェットプリンタによりプリントし（Ｓ１０８）、包装が終了する。
【００５２】
また、この中箱を外箱へ収納する工程と収納した中箱の情報を外箱へ印字する工程は、逆の順序でおこなってもよいし、同時におこなうよう工程を構成してもよいのは勿論である。
【００５３】
なお、上述の説明では、二次元コードとキャラクタによる情報の印字としたが、通常のバーコードであっても良く、また、これらのいずれか１つであってもよいし、これら全てを印字し表示してもよいのは勿論である。また、医用の感光材料の包装体で説明したが、その他一般用フィルム、印画紙等のシート材やロール材の包装体にも適用可能なのは言うまでもない。
【図面の簡単な説明】
【００５４】
【図１】感光材料を裁断し、遮光性の包装袋に収納する以前の工程を模式的に示した図である。
【図２】感光材料を収納した遮光性の包装袋を、中箱に収納する工程の模式図である。
【図３】感光材料を収納した遮光性の包装袋上に貼付されるラベルの情報表示例である。
【図４】中箱に印字する情報表示の例である。
【図５】包装袋を収納した中箱の外観を示す概略図である。
【図６】中箱を外箱に収納する工程の模式図である。
【図７】外箱に印字する情報表示の例を示す図である。
【図８】外箱の概略の外観と収納された中箱の状態を示す図である。
【図９】図２及び図６で説明した感光材料包装体の工程の流れをまとめたフローチャートである。
【符号の説明】
【００５５】
１１  包装袋搬送用ベルト
１２  包装袋
１３  中箱搬送用ベルト
１４  中箱部材
１５  バーコードリーダー
１６、２２  シーケンスコントローラ
１７、２３  レーザーマーカー
１８  中箱
１９  印字情報（中箱）
２０  タックラベル
２１  二次元コードリーダー
２４  外箱
３１  印字情報（外箱）
【図１】
2005173079.tif 000003
【図２】
2005173079.tif 000004
【図３】
2005173079.tif 000005
【図４】
2005173079.tif 000006
【図５】
2005173079.tif 000007
【図６】
2005173079.tif 000008
【図７】
2005173079.tif 000009
【図８】
2005173079.tif 000010
【図９】
2005173079.tif 000011